【手続補正書】
【提出日】平成18年3月28日(2006.3.28)
【手続補正１】
【補正対象書類名】明細書
【補正対象項目名】発明の名称
【補正方法】変更
【補正の内容】
【発明の名称】同一相手に対して複数の通信チャネルを用いた通信を行なうことが可能な通信装置、及びその制御方法
【手続補正２】
【補正対象書類名】明細書
【補正対象項目名】特許請求の範囲
【補正方法】変更
【補正の内容】
【特許請求の範囲】
【請求項１】  同一相手に対して複数の通信チャネルを用いた通信が可能な通信装置において、
着呼に対して自動的に応答し、通信相手からのメッセージを録音する留守モードを設定するための留守モード設定手段と、
同一相手に対して複数の通信チャネルを用いた通信が可能な通信手段と、
前記留守モード設定手段による設定に応じて、同一相手に対して用いる通信チャネルの数を可変に変更するよう制御する制御手段と、
を有することを特徴とする通信装置。
【請求項２】  着呼を検出するための検出手段を有し、前記制御手段は、前記検出手段により着呼が検出された場合に、前記制御を行なうことを特徴とする請求項１に記載の通信装置。
【請求項３】  前記通信手段は、デジタル回線を介した通信を行なうことを特徴とする請求項１に記載の通信装置。
【請求項４】  同一相手に対して複数の通信チャネルを用いた通信が可能な通信装置において、
同一相手に対して複数の通信チャネルを用いた通信を行なうための設定を送信及び受信についてそれぞれ独立して行なうための設定手段と、
同一相手に対して複数の通信チャネルを用いた通信が可能な通信手段と、
前記設定手段による設定に応じて、同一相手に対して用いる通信チャネルの数を可変に変更するよう制御する制御手段と、
を有することを特徴とする通信装置。
【請求項５】  前記設定手段による設定は、同一相手に対して複数の通信チャネルを用いた通信を許可するか否かを設定可能であることを特徴とする請求項４に記載の通信装置。
【請求項６】  前記通信手段は複数の通信相手と通信可能であり、前記設定手段は、前記制御手段により制御された数の通信チャネルを用いて通信を行なっている際に、他の通信相手との通信を開始する場合の通信チャネルの数を設定可能であることを特徴とする請求項４に記載の通信装置。
【請求項７】  前記設定手段による設定は、前記他の通信相手との通信を許可するか否かの設定であることを特徴とする請求項６に記載の通信装置。
【請求項８】  前記通信装置は複数の外部通信装置を接続可能であり、前記設定手段は前記複数の外部通信装置毎の前記設定が可能であることを特徴とする請求項４に記載の通信装置。
【請求項９】  前記通信手段は、複数の通信方式による通信が可能であり、前記設定手段は、前記複数の通信方式毎の前記設定も可能であることを特徴とする請求項８に記載の通信装置。
【請求項１０】  同一相手に対して複数の通信チャネルを用いた通信が可能な通信装置において、
同一相手に対して複数の通信チャネルを用いた通信が可能な通信手段と、
前記通信手段により複数の通信チャネルを用いて通信を行なっている際に、他の通信相手からの着呼及び他の通信相手への発呼要求を検出する検出手段と、
前記他の通信相手との通信に用いる通信チャネルの数を、前記検出手段により前記着呼が検出された場合、及び、前記発呼要求が検出された場合のそれぞれについて独立して設定可能な設定手段と、
を有することを特徴とする通信装置。
【請求項１１】  前記設定手段による設定は、前記検出手段により前記着呼が検出された場合に前記着呼を受け付けるか否かの設定、及び、前記発呼要求が検出された場合に前記発呼要求を受け付けるか否かの設定であることを特徴とする請求項１０に記載の通信装置。
【請求項１２】  前記通信装置は複数の外部通信装置を接続可能であり、前記設定手段は前記複数の外部通信装置毎の前記設定が可能であることを特徴とする請求項１０に記載の通信装置。
【請求項１３】  前記通信手段は、複数の通信方式による通信が可能であり、前記設定手段は、前記複数の通信方式毎の前記設定も可能であることを特徴とする請求項１２に記載の通信装置。
【請求項１４】  同一相手に対して複数の通信チャネルを用いた通信が可能な通信装置の制御方法において、
着呼に対して自動的に応答し、通信相手からのメッセージを録音する留守モードを設定させるための留守モード設定工程と、
同一相手に対して複数の通信チャネルを用いた通信を行なわせることが可能な通信工程と、
前記留守モード設定工程における設定に応じて、同一相手に対して用いる通信チャネルの数を可変に変更するよう制御する制御工程と、
を有することを特徴とする通信装置の制御方法。
【請求項１５】  同一相手に対して複数の通信チャネルを用いた通信が可能な通信装置の制御方法において、
同一相手に対して複数の通信チャネルを用いた通信を行なうための設定を送信及び受信についてそれぞれ独立して行なわせるための設定工程と、
同一相手に対して複数の通信チャネルを用いた通信を行なわせることが可能な通信工程と、
前記設定工程における設定に応じて、同一相手に対して用いる通信チャネルの数を可変に変更するよう制御する制御工程と、
を有することを特徴とする通信装置の制御方法。
【請求項１６】  同一相手に対して複数の通信チャネルを用いた通信が可能な通信装置の制御方法において、
同一相手に対して複数の通信チャネルを用いた通信を行なわせることが可能な通信工程と、
前記通信工程において複数の通信チャネルを用いて通信を行なっている際に、他の通信相手からの着呼及び他の通信相手への発呼要求を検出する検出工程と、
前記他の通信相手との通信に用いる通信チャネルの数を、前記検出工程により前記着呼が検出された場合、及び、前記発呼要求が検出された場合のそれぞれについて独立して設定可能な設定工程と、
を有することを特徴とする通信装置の制御方法。
【手続補正３】
【補正対象書類名】明細書
【補正対象項目名】０００１
【補正方法】変更
【補正の内容】
【０００１】
【発明の属する技術分野】
本発明は、同一相手局に対して複数チャネル用いて通信可能な通信装置、及びその制御方法に関する。
【手続補正４】
【補正対象書類名】明細書
【補正対象項目名】００１６
【補正方法】変更
【補正の内容】
【００１６】
【課題を解決するための手段】
以上の課題を解決するために、本発明においては、同一相手に対して複数の通信チャネルを用いた通信が可能な通信装置、及びその制御方法において、着呼に対して自動的に応答し、通信相手からのメッセージを録音する留守モードを設定させるための留守モード設定手段ないし工程と、同一相手に対して複数の通信チャネルを用いた通信を行なわせることが可能な通信手段ないし工程と、前記留守モード設定工程における設定に応じて、同一相手に対して用いる通信チャネルの数を可変に変更するよう制御する制御手段ないし工程と、を有する構成を採用した。
【手続補正５】
【補正対象書類名】明細書
【補正対象項目名】００１７
【補正方法】変更
【補正の内容】
【００１７】
あるいは、同一相手に対して複数の通信チャネルを用いた通信が可能な通信装置、及びその制御方法において、同一相手に対して複数の通信チャネルを用いた通信を行なうための設定を送信及び受信についてそれぞれ独立して行なわせるための設定手段ないし工程と、同一相手に対して複数の通信チャネルを用いた通信を行なわせることが可能な通信手段ないし工程と、前記設定手段ないし工程における設定に応じて、同一相手に対して用いる通信チャネルの数を可変に変更するよう制御する制御手段ないし工程と、を有する構成を採用した。
【手続補正６】
【補正対象書類名】明細書
【補正対象項目名】００１８
【補正方法】変更
【補正の内容】
【００１８】
あるいは、同一相手に対して複数の通信チャネルを用いた通信が可能な通信装置、及びその制御方法において、同一相手に対して複数の通信チャネルを用いた通信を行なわせることが可能な通信手段ないし工程と、前記通信手段ないし工程において複数の通信チャネルを用いて通信を行なっている際に、他の通信相手からの着呼及び他の通信相手への発呼要求を検出する検出手段ないし工程と、前記他の通信相手との通信に用いる通信チャネルの数を、前記検出手段ないし工程により前記着呼が検出された場合、及び、前記発呼要求が検出された場合のそれぞれについて独立して設定可能な設定手段ないし工程と、を有する構成を採用した。
【手続補正７】
【補正対象書類名】明細書
【補正対象項目名】０１４９
【補正方法】変更
【補正の内容】
【０１４９】
【発明の効果】
以上から明らかなように本発明によれば、同一相手に対して複数の通信チャネルを用いた通信が可能な通信装置、及びその制御方法において、着呼に対して自動的に応答し、通信相手からのメッセージを録音する留守モードを設定させるための留守モード設定手段ないし工程と、同一相手に対して複数の通信チャネルを用いた通信を行なわせることが可能な通信手段ないし工程と、前記留守モード設定工程における設定に応じて、同一相手に対して用いる通信チャネルの数を可変に変更するよう制御する制御手段ないし工程と、を有する構成を採用することにより、余計な設定操作を必要とせず、留守モードの状態に応じて自動的に複数の通信チャネルを用いた通信を行なうか否かを決定することができるとともに、留守モードの設定に応じて通信効率の良い複数の通信チャネルを用いた通信を行なうようにできる、という優れた効果がある。
【手続補正８】
【補正対象書類名】明細書
【補正対象項目名】０１５０
【補正方法】変更
【補正の内容】
【０１５０】
あるいは、同一相手に対して複数の通信チャネルを用いた通信が可能な通信装置、及びその制御方法において、同一相手に対して複数の通信チャネルを用いた通信を行なうための設定を送信及び受信についてそれぞれ独立して行なわせるための設定手段ないし工程と、同一相手に対して複数の通信チャネルを用いた通信を行なわせることが可能な通信手段ないし工程と、前記設定手段ないし工程における設定に応じて、同一相手に対して用いる通信チャネルの数を可変に変更するよう制御する制御手段ないし工程と、を有する構成を採用することにより、送信及び受信についてそれぞれ独立して複数の通信チャネルを用いた通信を行なうか否かを決定することができるとともに、需要に応じて複数の通信チャネルを用いた通信をきめ細かく制御することができ、従来のように送信側の意向のみで複数の通信チャネルを用いた通信の可否が決まってしまう問題がなくなる、という優れた効果がある。
【手続補正９】
【補正対象書類名】明細書
【補正対象項目名】０１５１
【補正方法】変更
【補正の内容】
【０１５１】
あるいは、同一相手に対して複数の通信チャネルを用いた通信が可能な通信装置、及びその制御方法において、同一相手に対して複数の通信チャネルを用いた通信を行なわせることが可能な通信手段ないし工程と、前記通信手段ないし工程において複数の通信チャネルを用いて通信を行なっている際に、他の通信相手からの着呼及び他の通信相手への発呼要求を検出する検出手段ないし工程と、前記他の通信相手との通信に用いる通信チャネルの数を、前記検出手段ないし工程により前記着呼が検出された場合、及び、前記発呼要求が検出された場合のそれぞれについて独立して設定可能な設定手段ないし工程と、を有する構成を採用することにより、着呼が検出された場合、及び、前記発呼要求が検出された場合に応じて複数の通信チャネルを用いた通信を行なうか否かを決定することができるとともに、需要に応じて複数の通信チャネルを用いた通信をきめ細かく制御することができ、従来のように送信側の意向のみで複数の通信チャネルを用いた通信の可否が決まってしまう問題がなくなる、という優れた効果がある。